(57)【要約】【課題】  ＢＥＲ測定を行う測定対象データを変更でき、かつ正確なＢＥＲ測定結果が得られる放送受信装置及び放送送信装置を提供する。【解決手段】  ＣＤＭ方式で送信される無線信号はチューナ３を経てベースバンドの信号となり、ＣＤＭ復調部４で多重化に対する復調処理がされ、放送チャンネル部４ａ、４ｂ、４ｃ、４ｄは放送データ、制御チャンネル部４ｅは制御データを出力する。制御データは、直接ビット誤り率の測定を行うＢＥＲ測定／制御部１１に入力されると共に、前方エラー訂正処理を行うＦＥＣ部５ｅによりエラー訂正された後の制御データもＢＥＲ測定／制御部１１に入力される。ＢＥＲ測定／制御部１１は、選択された方の制御データに対して、ＥＥＰＲＯＭ１２から読み出されたＢＥＲ測定用ビットパターンデータと比較してＢＥＲ測定を行う。【選択図】図１
2008053852.tif 000002
【特許請求の範囲】
【請求項１】
所定の周波数帯域で放送される放送チャンネルの放送データと制御チャンネルの制御データとが多重化された無線信号を受信して、前記無線信号の多重化に対する復調処理を行う復調手段と、
前記復調手段を経た後の前記制御データ中における一部のデータを測定対象データとしてビット誤り率測定を行うビット誤り率測定手段と、
前記ビット誤り率測定手段によるビット誤り率測定を、前記測定対象データを変更して行わせる測定対象データ変更手段と、
を具備したことを特徴とする放送受信装置。
【請求項２】
前記測定対象データ変更手段は、前記制御データ中から前記測定対象データとして用いる一部のデータを選択することにより前記測定対象データを変更することを特徴とする請求項１に記載の放送受信装置。
【請求項３】
前記測定対象データ変更手段は、前記制御データ中におけるエラー訂正処理されないものと、エラー訂正処理されたものとを選択することにより前記測定対象データを変更することを特徴とする請求項１に記載の放送受信装置。
【請求項４】
前記測定対象データ変更手段は、前記測定対象データの変更の際には、変更される前記測定対象データの原ビットパターンデータをビット誤り測定用ビットパターンデータとして前記ビット誤り率測定手段に供給し、該ビット誤り測定用ビットパターンデータと測定対象データとの比較により前記ビット誤り率測定を行わせる制御を行うことを特徴とする請求項１に記載の放送受信装置。
【請求項５】
所定の周波数帯域で放送される放送チャンネルの放送データと制御チャンネルの制御データとを多重化する多重化手段と、
前記多重化手段で多重化される前の前記制御データ中における受信装置側でビット誤り率測定対象として利用可能な一部のデータを変更する測定対象データ変更手段と、
を具備したことを特徴とする放送送信装置。
【発明の詳細な説明】
【技術分野】
【０００１】
本発明は、主に移動体向け通信または放送システムにおいてＢＥＲ測定を行う放送受信装置及び放送送信装置に関する。
【背景技術】
【０００２】
移動体向け通信又は放送システムでは、伝送方式の１つとしてスペクトラム拡散技術を用いた符号分割多重（ＣＤＭ：Code Division Multiplex）方式が利用されている。ＣＤＭ方式を用いる放送システムとして、移動体向けモバイル衛星デジタル放送がある。  
送信側の放送主局では、制御情報を伝送する放送チャンネルとコンテンツ情報を送信する複数の放送チャンネルをＣＤＭ方式で多重化し、無線（またはＲＦ）周波数にアップコンバート後、無線区間の放送衛星に送信する。  
このシステムにおいては、放送チャンネルのデータ受信中の受信品質を算出することが重要になる。本受信品質を算出する１手法として、ＢＥＲ（ビット誤り率）測定法が広く採用されている。このＢＥＲ測定法に関しては、概ね以下の２つの方法が存在する。
【０００３】
第一の方法は、複数チャンネルで構成される放送チャンネル中の１つの放送チャンネルをＢＥＲ測定専用チャンネルとする方法である。放送主局側では、このＢＥＲ測定専用チャンネルにより放送データを送信する代わりに、ＢＥＲ測定用データ（一般的にはＭ系列等の乱数等）を送信し、受信装置側では専用チャンネルを用いてそのＢＥＲ測定用データを受信し、その受信装置に内蔵された放送主局側と同一の既知のＢＥＲ測定データと比較することにより、ＢＥＲを測定する方法である。  
この方法は、正確なＢＥＲ測定を行うことができる利点を有するが、１つのチャンネルをＢＥＲ測定のために占有してしまうことになるため、周波数帯域の有効活用ができないという問題がある。従って、この方法は、システムのメンテナンス等では用いられるが、実放送中に用いられることはほとんどなかった。  
第二の方法は、放送主局側が放送チャンネルで放送データを送信し、一方、受信装置側はその放送データを受信しながら、その放送データの再符号化を行うことで擬似的なＢＥＲを測定する方法である。本方法は、例えば特開２００５−１６７６９９号公報に開示されている。
【０００４】
この第二の方法は、必ずしも正確なＢＥＲを測定することができないという欠点がある。即ち、第二の方法は、受信装置側の誤り訂正能力の範囲内ではほぼ正確なＢＥＲを算出できるが、誤り訂正能力を超えた範囲では正しいＢＥＲが測定できず、誤り訂正方式によってはＢＥＲ値が本来のＢＥＲ値とかけ離れた値となるという問題がある。  
一方、特開２００２−２４７０１４号公報の装置は、制御チャンネルの制御データと考えられるパイロット信号と、放送チャンネルの放送データと考えられるデータ信号とが直交多重化された受信信号を復調部で復調し、復調された復調信号からパイロット信号を検出し、パイロット信号ＢＥＲ測定部でパイロット信号のＢＥＲを測定する。また、パイロット信号のＢＥＲ測定結果からデータ信号のＢＥＲを推定することが開示されており、放送チャンネルの受信中に、放送チャンネルと多重化されて送信される制御チャンネル中の信号を用いてＢＥＲ測定を行うことができ、周波数帯域の有効利用ができる利点がある。
【０００５】
しかしながら、本公報の装置においては、パイロット信号ＢＥＲ測定部は、実際にＢＥＲ測定を行うデータを選択或いは変更の記述がなく、ＢＥＲ測定を行うデータ自体及びデータ長を変更できないため、ＢＥＲ測定条件に制約を生じる。
【特許文献１】特開２００５−１６７６９９号公報
【特許文献２】特開２００２−２４７０１４号公報
【発明の開示】
【発明が解決しようとする課題】
【０００６】
本発明は、上記の事情に鑑みてなされたもので、ビット誤り率（ＢＥＲ）測定を行う測定対象データを変更でき、かつ正確なＢＥＲ測定結果が得られる放送受信装置及び放送送信装置を提供することを目的とする。
【課題を解決するための手段】
【０００７】
本発明の一態様に係る放送受信装置は、所定の周波数帯域で放送される放送チャンネルの放送データと制御チャンネルの制御データとが多重化された無線信号を受信して、前記無線信号の多重化に対する復調処理を行う復調手段と、
前記復調手段を経た後の前記制御データ中における一部のデータを測定対象データとしてビット誤り率測定を行うビット誤り率測定手段と、
前記ビット誤り率測定手段によるビット誤り率測定を、前記測定対象データを変更して行わせる測定対象データ変更手段と、
を具備したことを特徴とする。  
本発明の一態様に係る放送送信装置は、所定の周波数帯域で放送される放送チャンネルの放送データと制御チャンネルの制御データとを多重化する多重化手段と、
前記多重化手段で多重化される前の前記制御データ中における受信装置側でビット誤り率測定対象として利用可能なデータを変更する測定対象データ変更手段と、
を具備したことを特徴とする。
【発明の効果】
【０００８】
本発明によれば、ビット誤り率測定を行う測定対象データを変更でき、かつ正確なビット誤り率測定結果が得られる。
【発明を実施するための最良の形態】
【０００９】
以下、図面を参照して本発明の実施形態を詳細に説明する。  
図１は、本発明の一実施形態に係るモバイル放送用の受信装置（以下単に受信装置と略記）１の構成を示し、図２は放送主局による放送送信装置（以下、単に送信装置と略記）２１の構成を示す。まず、図２の送信装置２１の構成を説明する。  
図２に示すようにこの送信装置２１は、複数の放送チャンネル部（図２等では放送ＣＨと略記）２２ａ１、２２ａ２、…を有し、複数の放送チャンネル部２２ａ１、２２ａ２、…は、それぞれ音声／映像／データ情報等の放送データ（コンテンツデータともいう）を生成する。放送チャンネル部２２ａ１、２２ａ２、…により、生成されたそれぞれの放送データのパケットは、前方誤り訂正（Forward Error Correction）部（以下、ＦＥＣ部と略記）２３を構成する放送チャンネル用ＦＥＣ部２３ａ１、２３ａ２、…にそれぞれ入力される。
【００１０】
また、この送信装置２１は、制御チャンネル部（図２等では制御ＣＨと略記）２２ｂを有し、制御チャンネル部２２ｂは、受信装置１側が必要とする受信同期情報及び受信パラメータ情報を含んだ制御データを生成する。この制御チャンネル部２２ｂで生成された制御データのパケットは、制御チャンネル用ＦＥＣ部２３ｂに入力される。  
また、制御チャンネル部２２ｂは、受信装置１側において放送データを受信した際の受信品質を評価するためのビット誤り率（ビットエラーレート、ＢＥＲと略記）測定をするＢＥＲ測定対象データ（ＢＥＲデータと略記）をＢＥＲデータ発生部２７から入力する。  
このＢＥＲデータ発生部２７は、後述するＢＥＲモード情報と共に、複数の異なるＢＥＲデータを格納するＢＥＲデータ格納手段として電気的に書き換え可能な不揮発性メモリとしてのＥＥＰＲＯＭ（Electrically Erasable Programmable ROM）２８と接続されている。
【００１１】
そして、このＢＥＲデータ発生部２７は、ＥＥＰＲＯＭ２８に格納された複数のＢＥＲデータから実際に使用するＢＥＲデータとＢＥＲデータに対応するＢＥＲモード情報を選択して読み出し、制御チャンネル部２２ｂに出力する。なお、ＢＥＲモード情報は、そのデフォルト値がＥＥＰＲＯＭ２８に格納されているが、ＢＥＲ測定を行うユーザがＭＭＩ１０により装置外部から入力することができる。また、送信装置２１側からＢＥＲモード情報を送信して、受信装置１がそのＢＥＲモード情報を用いることも可能である。
【００１２】
ＢＥＲデータ発生部２７とＥＥＰＲＯＭ２８は、送信装置２１におけるＢＥＲの測定対象データ変更手段を形成している。
【００１３】
後述するように受信装置１側では、このＢＥＲデータをＢＥＲ測定用ビットパターンデータとして予め格納手段等にて保持し、受信装置１にて実際に受信したＢＥＲデータと、このＢＥＲ測定用ビットパターンデータとを比較することによりＢＥＲ測定を行う。尚、ＢＥＲ測定用ビットパターンの選択は、送信側から制御チャンネル２２ｂで送信されたＢＥＲモード情報に準じて行うか、または装置外部からのユーザ入力に準じて行う。
【００１４】
ＢＥＲ測定用ビットパターンの選択をユーザがＭＭＩ１０から選択する場合においても、デフォルト設定以外の場合には、上述したＢＥＲモード情報は必要となる。ＢＥＲモード情報には、例えばＢＥＲ測定箇所、及びＢＥＲ測定チャンネルの指定等がある。
【００１５】
なお、上述のように送信装置２１は、ＢＥＲデータとＢＥＲモード情報を制御チャンネル２２ｂを介して受信装置１側に送信するが、受信装置１側でＢＥＲ測定用ビットパターンの選択をユーザ入力に準じて行う場合には、デフォルト設定の場合を含めるとこれら或いはその一方が必要不可欠とするものに限定されない。
【００１６】
このように、制御チャンネル中におけるＢＥＲデータを変更可能にすることにより、受信装置１側においては、ＢＥＲデータを変更しない場合よりもその選択肢を拡げてより適切にかつ正確なＢＥＲ測定を行うことを可能にする。
【００１７】
ＦＥＣ部２３ａ１、２３ａ２、…は、各放送チャンネルの放送データに対して、リード・ソロモン符号化（ＲＳ符号化）、バイトインタリーブ、畳み込み符号化、ビットインタリーブの処理を行い、エラー訂正符号が付加された放送データをＣＤＭ変調部２４に出力する。
【００１８】
また、ＦＥＣ部２３ｂは、制御データに対して、リード・ソロモン符号化、バイトインタリーブ、畳み込み符号化の処理を行い、エラー訂正符号が付加された制御データをＣＤＭ変調部２４に出力する。
【００１９】
この場合、制御チャンネル部２２ｂから出力される制御データにおける一部のデータは、ＦＥＣ部２３ｂを経由することなく、ＣＤＭ変調を行うＣＤＭ変調部２４に出力される。
【００２０】
なお、制御データにおけるＦＥＣ部２３ｂで誤り訂正処理がされるデータと、ＦＥＣ部２３ｂの処理を行わず誤り訂正処理されないでＣＤＭ変調部２４に出力されるデータに関しては図３を参照して後述する。  
そして、後述するように受信装置１側は、例えばユーザによる選択操作により、制御データ中におけるエラー訂正がされない固定ビットパターン、エラー訂正処理される固定ビットパターン、または一部の可変データを（ＢＥＲ）測定対象データとして選択してＢＥＲ測定を行うことを可能にしている。  
上記ＣＤＭ変調部２４は、入力される放送データと制御データをＣＤＭコード多重化してＣＤＭ変調信号として出力する。
【００２１】
このＣＤＭ変調信号は、周波数変換部２５により所定の周波数に変換され、所定の周波数帯に変換され、アンテナ２６から放送衛星に送信され、放送衛星から所定の放送周波数帯、例えばＳバンド（２．６ＧＨｚ帯）に変換されてＣＤＭ方式の無線信号として電波で送信される。
【００２２】
このアンテナ２６から送信される無線信号は、放送衛星経由で受信装置１に送信する場合に限らず、地上に設けられた地上再送信装置としてのギャップフィラー（ＧＦと略記)経由で受信装置１に送信するようにしても良い。  
次に図１の受信装置１の構成を説明する。  
図１に示す受信装置１は、アンテナ２で受信したＣＤＭ方式の無線信号を検波するチューナ３と、このチューナ３から出力される信号に対する復調手段としてのＣＤＭ復調部４と、エラー訂正処理を行うエラー処理手段としての前方誤り訂正（Forward Error Correction）部（以下、ＦＥＣ部と略記）５とを有する。
【００２３】
また、この受信装置１は、送信側で暗号化された情報を復号するＣＡ（Conditional Access）部６と、復号データのデコードを行うデコーダ部７と、デコードされた映像データ／音声データ／等を再生するディスプレイ／スピーカ８と、全体の制御を行う受信装置ＣＰＵ９とを有する。  
この受信装置１は、衛星経由等で送信される例えばＳバンドのＣＤＭ方式の無線信号をアンテナ２により受信し、このアンテナ２で受信された無線信号は、チューナ３に入力される。このチューナ３は、入力された無線信号から所定の帯域の信号成分を抽出し、ベースバンドの受信信号に変換し、図示しないＡ／Ｄ変換部を介してデジタルデータに変換してＣＤＭ復調部４に出力する。  
このＣＤＭ復調部４は、ＣＤＭ変調により多重化されたＣＤＭデータから複数の放送チャンネルのデータにそれぞれ分離する復調処理を行う復調処理部４ｎと、分離復調されたデータから複数の放送チャンネルの放送データを生成する放送チャンネル部４ａ、４ｂ、４ｃ、４ｄと、１つの制御データを生成する制御チャンネル部４ｅとを有する。
【００２４】
そして、各放送チャンネル部４ａ、４ｂ、４ｃ、４ｄは、各放送チャンネルに割り付けられた情報としてのコンテンツデータを放送データとして出力する。また、制御チャンネル部４ｅは、受信装置１の同期捕捉、復調制御等に用いられるデータ、パラメータ等からなる制御データを出力する。  
図１では簡単化のため、ＣＤＭ復調部４は、４つの放送チャンネル部４ａ、４ｂ、４ｃ、４ｄと、１つの制御チャンネル部４ｅとの例で示している。一般的には、放送チャンネルの数は４個以上であっても良い。制御チャンネルの数は１つである。  
ユーザは、マンマシンインタフェース（ＭＭＩと略記）１０を操作することにより、受信装置ＣＰＵ９を介してＣＤＭ復調部４に与えるパラメータの値を変更することができる。
【００２５】
上記ＣＤＭ復調部４によりＣＤＭ復調された放送チャンネル部４ａ、４ｂ、４ｃ、４ｄの放送データ及び制御チャンネル部４ｅの制御データとは、ＦＥＣ部５に入力される。  
このＦＥＣ部５は、各放送チャンネル用ＦＥＣ部５ａ、５ｂ、５ｃ、５ｄと、１つの制御チャンネル用ＦＥＣ部５ｅとを有する。  
また、このＦＥＣ部５は、ＦＥＣ部５ｅから出力されるエラー訂正処理された（エラー訂正済み）制御データの一部のデータに対して、（その原データとしての）ＢＥＲ測定用ビットパターンデータとを比較してＢＥＲ測定と、そのＢＥＲ測定の制御を行うＢＥＲ測定／制御部１１を有する。  
このＢＥＲ測定／制御部１１は、ＢＥＲ測定用ビットパターンデータ格納手段として例えば電気的に書き換え可能な不揮発性のメモリとしてのＥＥＰＲＯＭ１２に接続されている。なお、本実施の形態では、このＥＥＰＲＯＭ１２をＢＥＲ測定／制御部１１の外部に設けた構成で示しているが、ＢＥＲ測定／制御部１１の内部に設けた構成にしても良い。
【００２６】
このＥＥＰＲＯＭ１２は、ＢＥＲ測定の際に用いられるＢＥＲ測定用ビットパターンデータ、つまり送信装置２１側からの送信に用いられる既知の固定ビットパターンデータが複数種類格納されている。
【００２７】
そして、このＥＥＰＲＯＭ１２から読み出されてＢＥＲ測定／制御部１１にセットされるＢＥＲ測定用ビットパターンデータと、送信されたこのビットパターンデータを、受信装置１で実際に受信してＢＥＲ測定対象データとして比較することによりＢＥＲ測定が行われる。  
つまり、ＢＥＲ測定／制御部１１は、このＢＥＲ測定／制御部１１に入力される測定対象となる制御データの一部のデータと、ＢＥＲ測定用ビットパターンデータとを比較してＢＥＲ測定を行う。  
上記ＥＥＰＲＯＭ１２から読み出されるＢＥＲ測定用ビットパターンデータは、例えばユーザによるＭＭＩ１０からのＢＥＲ測定の選択操作に対応して受信装置ＣＰＵ９からＢＥＲ測定／制御部１１の制御部に送られる選択信号に基づいて行われる。
【００２８】
また、本実施の形態においては、ＣＤＭ復調部４から出力される制御データも、ＢＥＲ測定／制御部１１に入力される。
【００２９】
そして、ＢＥＲ測定／制御部１１は、例えばユーザによるＢＥＲ測定の選択操作に対応して、ＣＤＭ復調部４から出力される制御データ中の一部のデータに対して、対応するＢＥＲ測定用ビットパターンデータと比較してＢＥＲ測定を行う、若しくはＦＥＣ部５ｅから出力されるエラー訂正された制御データ中の一部のデータに対して、対応するＢＥＲ測定用ビットパターンデータを用いてＢＥＲ測定を行う。  
つまり、ＢＥＲ測定／制御部１１とＥＥＰＲＯＭ１２とにより、ユーザは、測定対象データを変更若しくは選択してＢＥＲ測定を行うことができる構成になっている。  
ＦＥＣ部５ａ、５ｂ、５ｃ、５ｄは、ＣＤＭ復調された放送データに対して、送信側のビットインタリーブでのビット単位の並び替えを戻すビット単位の並び替えを行うビットデインタリーブ部（図１ではビットデＩ／Ｌと略記）１４と、ビタビ復号処理を行うビタビ復号部１５と、送信側のバイト単位の並び替えを戻すバイト単位の並び替えを行うバイトデインタリーブ部（図１ではバイトデＩ／Ｌと略記）１６と、リード・ソロモン復号処理を行うリード・ソロモン復号部（図１ではＲＳ復号と略記）１７とを有する。
【００３０】
また、ＦＥＣ部５ｅは、ＣＤＭ復調された制御データに対してビタビ復号処理を行うビタビ復号部１８と、送信側のバイト単位の並び替えを戻すバイト単位の並び替えを行うバイトデインタリーブ部１９と、リード・ソロモン復号処理を行うリード・ソロモン復号部２０とを有する。  
ＦＥＣ部５ａ、５ｂ、５ｃ、５ｄからエラー訂正された放送データは、ＣＡ部６に入力され、復号され、デコーダ部７に入力される。  
このデコーダ部７は、ＭＭＩ１０による放送チャンネル選択信号が受信装置ＣＰＵ９を介して入力され、この放送チャンネル選択信号に対応した放送チャンネルの放送データのＴＳパケットを選別してデコードする。
【００３１】
そして、デコードされた放送データがディスプレイ／スピーカ８に入力され、ディスプレイ／スピーカ８は、映像／音声／データを再生する。  
一方、ＦＥＣ部５ｅでエラー訂正された制御データは、受信装置ＣＰＵ９に入力され、受信装置ＣＰＵ９は、この制御データに含まれる各種データを用いて受信装置１の各部の動作を制御する。  
例えば後述する図３に示すようにエラー訂正された制御データは、ＦＥＣ部５のエラー訂正のパリティ符号等を含み、受信装置ＣＰＵ９は、ＦＥＣ部５のＦＥＣ部５ａ、５ｂ、５ｃ、５ｄ、５ｅに対し、パリティ符号等を与え、エラー訂正処理の動作を制御する。  
また、このＦＥＣ部５ｅでエラー訂正された制御データとＣＤＭ復調部４の制御チャンネル部４ｅから出力される制御データとは、ＢＥＲ測定／制御部１１に入力され、このＢＥＲ測定／制御部１１は、選択された方の制御データ中の一部のビットパターンデータに対してＢＥＲ測定を行う。
【００３２】
このＢＥＲ測定／制御部１１によりＢＥＲ測定された結果のＢＥＲ測定値は、受信装置ＣＰＵ９に送られ、受信装置ＣＰＵ９は、ＢＥＲ測定値を例えばバーグラフのデータに変換してディスプレイ／スピーカ８のディスプレイに出力し、そのディスプレイ上にＢＥＲ測定値をバーグラフで表示する。ユーザは、このバーグラフを見ることにより、使用中における受信品質の状態を把握することができる。  
また、この受信装置ＣＰＵ９は、ＢＥＲ測定されたＢＥＲ測定値を、放送データを再生するか否かを判定する判定基準となる閾値と比較し、この閾値よりも大きなＢＥＲ測定値となる受信状態の場合には、ディスプレイ／スピーカ８の再生動作を停止させる制御も行う。  
つまり、所定の受信品質を保てないような放送データ受信状態においては、受信装置ＣＰＵ９は、ディスプレイでの映像再生やスピーカでの音声再生を停止する。
【００３３】
そして、受信装置ＣＰＵ９は、例えばディスプレイに対して、ブルーバック表示に設定し、ユーザに対して受信品質が保てない状態であることが分かる表示状態にする。  
この場合の閾値としては、制御チャンネル部４ｅからの（エラー訂正処理無しの）制御データに対してＢＥＲ測定を行った場合には、例えば１０−１〜１０−２程度、ＦＥＣ部５ｅからの制御データでＢＥＲ測定を行った場合には、例えば１０−１１程度の値に設定する。なお、これらは、単に閾値の一例を示すものにすぎない。  
図３は、制御チャンネルの制御データの構成を示すブロック図である。制御チャンネルの制御データは、２５６ｋｂｐｓで１２．７５ｍｓの時間周期で構成されている。  
また、この制御データは、図示のように２５０μｓ間隔で、パイロットシンボル（ＰＳ）とＤ１からＤ５１までのデータが順次挿入されている。
【００３４】
ここで、パイロットシンボルは、３２ビットのサイズで全て“1”の復調の同期捕捉データであり、データＤ１は、３２ビットのサイズで放送チャンネルの同期捕捉のためのユニークワードであり、データＤ２は、３２ビットのサイズで０から５のフレーム番号を示すフレームカウンタである。  
つまり、この制御チャンネルのフレームは、０から５までの６フレームで、制御チャンネルの伝送情報の単位フレームとなるスーパフレームを形成する。  
またデータＤ３からＤ５０は、それぞれ３２ビットサイズで、制御データ、リード・ソロモン符号パリティ等のデータとなっている。また、データＤ５１も３２ビットのサイズのデータである。
【００３５】
データＤ３からＤ５０の中には現在制御等に利用されていないデータ（便宜上、空データという）が存在する。このため、本送信装置２１及び本受信装置１からなる本放送システムにおいては、以下に説明するようにその空データ部分をＢＥＲ測定に用いる確定したビットパターンのＢＥＲ測定対象データとして利用することができる（但し、以下のように送信側で誤り訂正処理されたものとなるため、生データのままでのＢＥＲ測定には使用できない）。  
また、受信装置用情報となるデータＤ３〜Ｄ５０は、送信側で誤り訂正されるデータであるが、ＰＳ，Ｄ１（ユニークデータ）、Ｄ２（フレームカウンタ）、データＤ５１は誤り訂正されないデータとなっている。
【００３６】
なお、図４は、制御チャンネルと放送チャンネルのビット長の関係を示す図である。制御チャンネルの１フレームが放送チャンネルの２ＴＳに相当する構成になっている。  
本受信装置１は、例えばＰＳ、Ｄ１、Ｄ２、Ｄ５１における確定したビットパターンのいずれか１つ、或いは２つ以上のデータを誤り訂正を行う前のＢＥＲ測定対象の制御データとして使用することができる。  
例えばＰＳとＤ１とは、常にビット配列値が確定した固定ビットパターンとなり、受信装置１は、このＰＳとＤ１の制御データを、その生データのまま（つまり制御チャンネル部４ｅからの出力データを）ＢＥＲ測定に利用することができる。  
これに対応して、ＥＥＰＲＯＭ１２には、このＰＳとＤ１のビットパターンの原データが格納されている。そして、ユーザが、ＰＳとＤ１のデータでＢＥＲ測定を行うことを選択した場合には、その原データがＥＥＰＲＯＭ１２から読み出されて、ＢＥＲ測定／制御部１１にＢＥＲ測定を行う際に用いられるＢＥＲ測定用ビットパターンデータとしてセットされる。
【００３７】
また、本実施の形態においては、上記のように生データに対してＢＥＲ測定を行うＢＥＲ測定モードの他に、エラー訂正処理された制御データ、つまりＦＥＣ部５ｅから出力される制御データをＢＥＲデータとしてＢＥＲ測定を選択して行うことができるようにしている。  
上記ＰＳ、Ｄ１、Ｄ２、Ｄ５１や、Ｄ３からＤ５０における例えば制御等に利用されていない固定（確定）のデータで、ＦＥＣ部５ｅでエラー訂正処理後によりそのビットパターンデータとして復号化できるデータも、ＢＥＲデータとして設定できるし、その際のビット数を適宜に設定することもできる。  
この場合、Ｄ３からＤ５０におけるすでに制御等に利用されているデータでも、ＢＥＲデータに利用できる。
【００３８】
そして、そのＢＥＲデータとしてＢＥＲ測定を行う場合に対応して、そのＢＥＲデータの原データが予めＥＥＰＲＯＭ１２にＢＥＲ測定用ビットパターンデータとして格納されている。そして、ユーザによるＢＥＲ測定モードの選択により、ＢＥＲ測定されるビットパターンデータがＥＥＰＲＯＭ１２から読み出されて、ＢＥＲ測定／制御部１１にＢＥＲ測定を行う際比較されるＢＥＲ測定用ビットパターンデータとして設定される。  
このように、本実施の形態においては、ＥＥＰＲＯＭ１２には複数種類のＢＥＲ測定用ビットパターンデータが格納されている。そして、ＢＥＲ測定／制御部１１は、ユーザが選択したＢＥＲ測定のモードに対応したＢＥＲ測定用ビットパターンデータと比較してＢＥＲ測定を行う。  
なお、ＢＥＲ測定／制御部１１が、生データ、つまり制御チャンネル部４ｅから出力される制御データをＢＥＲデータとする場合に比較して、ＦＥＣ部５ｅから出力される制御データをＢＥＲデータとする場合には、ＢＥＲ測定の自由度を大きくできる。
【００３９】
この場合には、ＢＥＲ測定／制御部１１は、ビット長を変更する自由度等、様々なビットパターンデータによりＢＥＲ測定することができる。勿論、生データの場合においても、上述したＰＳ，Ｄ１等のビットパターン長を変更設定してＢＥＲ測定を行うことができる。  
送信装置２１側は、例えば上記Ｄ３からＤ５０内に、ＢＥＲデータとして例えばＭ系列かこれに近い固定のビットパターンデータを割り付けて送信する。  
これに対応して、ＥＥＰＲＯＭ１２には、上記送信されるＢＥＲデータを含む複数種類の固定のビットパターンデータが格納されており、ユーザは選択することができる。    この場合、製造時に予めＥＥＰＲＯＭ１２内にそのような固定のビットパターンデータを書き込んだものを提供するようにしても良い。この他に、送信装置２１側から送信するＢＥＲデータを、受信装置１のＢＥＲ測定／制御部１１は、ＦＥＣ部５ｅを通して抽出し、ＥＥＰＲＯＭ１２にＢＥＲ測定用ビットパターンデータとして格納するようにしても良い。
【００４０】
なお、送信装置２１側が、ＢＥＲデータを適宜のタイミングにおいて変更し、受信装置１は、変更されたＢＥＲデータに対してＢＥＲ測定を行うようにしても良い。  
図５は本実施の形態におけるＢＥＲ測定／制御部１１の概略の構成例を示す。  
ＣＤＭ復調部４の制御チャンネル部４ｅからの制御データと、ＦＥＣ部５ｅからの制御データとは切替スイッチ３１を介して、ＢＥＲデータ（図５中では測定データと略記）として第１のシフトレジスタ３２ａにビット単位で若しくは所定ビット数単位で格納される。  
また、ＥＥＰＲＯＭ１２に格納されているＢＥＲ測定用ビットパターンデータは、制御部３５によるＢＥＲ測定用ビットパターンデータ制御信号により１つのＢＥＲ測定用ビットパターンデータが読み出され、第２のシフトレジスタ３２ｂ若しくは第３のシフトレジスタ３２ｃにビット単位若しくは所定ビット数単位で格納され、ＢＥＲ測定の際のエラー発生の判定を行うＢＥＲ測定用ビットパターンデータ（図５中では参照データ）として使用される。
【００４１】
なお、第２のシフトレジスタ３２ｂ及び第３のシフトレジスタ３２ｃは、格納できるビット数が異なり、例えばＣＤＭ復調部４の制御チャンネル部４ｅから出力される生の制御データに対してＢＥＲ測定を行う場合と、ＦＥＣ部５ｅから出力されるエラー訂正処理された制御データに対してＢＥＲ測定を行う場合とにそれぞれ対応したビット数（ビット長）に設定されている。  
この場合、例えば第２のシストレジスタ３２ｂのビット数を変更可能にすることにより、第３のシフトレジスタ３２ｃを用いない構成にすることもできる。  
制御部３５は、例えばユーザによるＢＥＲ測定モードの選択操作に応じて、第２のシフトレジスタ３２ｂ若しくは第３のシフトレジスタ３２ｃに格納するＢＥＲ測定用パターンデータの設定と、切替スイッチ３１の切替とを連動して制御する制御手段の機能を持つ。この制御部３５は、受信装置１における測定対象データ変更手段を形成している。
【００４２】
上記第１のシフトレジスタ３２ａと、第２のシフトレジスタ３２ｂ若しくは第３のシフトレジスタ３２ｃに格納されたＢＥＲ測定用ビットパターンデータとは一致／不一致を検出する比較器３３に入力され、ビット単位での比較により一致／不一致が検出（判定）される。この比較器３３は２つの入力データが一致していると“０”、一致していないと“１”を出力する。  
この比較器３３の出力は、カウンタ３４に入力され、カウンタ３４は、シフトレジスタ３２ａ、３２ｂ、３２ｃに印加されるシフト用クロックに同期して、比較器３３の出力を計数する。このカウンタ３４の計数出力は、制御部３５に入力され、制御部３５は、カウンタ３４の計数値をクロック数で除算する等して制御データに対するＢＥＲ測定値を算出する。  
そして、制御部３５は、算出したＢＥＲ測定値を受信装置ＣＰＵ９に送る。なお、制御部３５は、カウンタ３４をＢＥＲ測定前にリセットする等の制御を行う。
【００４３】
なお、図５における制御部３５を除く切替スイッチ３１からカウンタ３４までがＢＥＲ測定部を構成し、制御部３５がその制御を行う。このようにして、ＢＥＲ測定部は、ＢＥＲ測定を行う。また、図５に示す構成に限らず、ＣＰＵを用いたソフトウェアでＢＥＲ測定／制御部１１を構成しても良い。  
本実施の形態においては、例えば送信装置２１側からＦＥＣ部５ｅを経てＢＥＲ測定を行うＢＥＲデータ部分を変更することもでき、受信装置１は、この変更に対応して、参照用ビットパターンデータの変更設定を行う。  
この場合、送信装置２１は、制御データにおけるＢＥＲデータを変更する場合には、ＢＥＲデータ変更を行う前に、予めＢＥＲデータ変更を示す変更情報としての例えばフラグ情報も制御データ中にエラー訂正処理して送信する。
【００４４】
受信装置１の受信装置ＣＰＵ９は、ＦＥＣ部５ｅを経てこのフラグ情報を受け取った場合には、ＢＥＲ測定／制御部１１によるＢＥＲ測定を一時停止させる。  
そして、受信装置ＣＰＵ９は、例えば図５の制御部３５を制御して、フラブ情報の後に送信される変更されたＢＥＲデータを制御部３５からＥＥＰＲＯＭ１２に格納させる。  
制御部３５は、例えばＢＥＲ測定を一時中断して、切替スイッチ３１を強制的にＦＥＣ部５ｅ側の制御データを取り込む状態に切替え、変更されたＢＥＲデータを図５の点線で示すように取り込む。
【００４５】
そして制御部３５は、その中からＢＥＲデータ部分を抽出してＥＥＰＲＯＭ１２に書き込むと共に、シフトレジスタ３２ｃ等にＢＥＲ測定用ビットパターンデータとしてセットする。その後、その変更されたＢＥＲ測定用ビットパターンデータを用いてＢＥＲ測定を再開する。
【００４６】
なお、送信装置２１から送信されたＢＥＲデータからＢＥＲ測定用ビットパターンデータを生成する場合には、そのＢＥＲデータを繰り返し受信して、その受信後のＢＥＲデータに誤りが無いと判定できる場合のみに行われるようにする。
【００４７】
このように本実施の形態は、送信装置２１側からのＢＥＲデータ変更にも円滑に対応し、変更されたＢＥＲデータに対して、ＢＥＲ測定を行うことができる。  
受信装置ＣＰＵ９は、制御部３５から入力されるＢＥＲ測定値に応じて、例えばディスプレイ上で受信品質に対応する例えばバーグラフを表示する。ユーザは、このバーグラフの表示を見ることにより、現在の受信品質の状態を把握することができる。  
なお、受信装置ＣＰＵ９は、ＢＥＲ測定／制御部１１により、制御チャンネルの制御データに対して算出したＢＥＲ測定値を、受信装置１による受信品質を示す評価値としてバーグラフ等で表示しても良いが、このＢＥＲ測定値から放送チャンネルの放送データに対するＢＥＲ測定値を推定し、推定したＢＥＲ測定値を受信装置１による受信品質を示す評価値としてバーグラフ等で表示するようにしても良い。
【００４８】
本実施の形態によれば、ユーザがＢＥＲ測定のモードを選択できるので、ユーザが望むモードでＢＥＲ測定を行うことができる。例えばＣＤＭ復調部４から出力される制御データに対してＢＥＲ測定を行うモードを選択した場合には、エラー訂正処理機能を用いない状態でＢＥＲ測定の結果を得ることができ、この場合には、受信品質の目安となる評価結果を短時間に得ることができる。  
一方、ＦＥＣ部５ｃを通した制御データに対してＢＥＲ測定を行うモードを選択した場合には、一般的に前者の場合よりもＢＥＲ測定結果を得るまでに時間がかかるが、エラー訂正処理機能を用いた状態において、実際に発生するＢＥＲを忠実に反映するＢＥＲ測定結果を得ることができる。
【００４９】
このように本実施の形態によれば、ユーザが選択したモードでＢＥＲ測定を行うことができ、ＢＥＲ測定の条件を変更若しくは選択できる。また、本実施の形態によれば、ＢＥＲ測定を行う際、ＢＥＲ測定用ビットパターンデータと比較してエラー発生の有無を判定するため、正確なＢＥＲ測定結果を得ることができる。
【００５０】
また、本実施の形態によれば、制御チャンネルの制御データを利用して、ＢＥＲ測定を行うようにしているので、放送データの情報送信に必要な周波数帯域に影響を与えないでその周波数帯域の有効利用を確保できる。  
また、送信装置２１側からＢＥＲ測定に行われるＢＥＲデータの変更も行うことができ、その変更に対応して受信装置１は、ビットパターンデータを変更設定して、ＢＥＲ測定を適切に行うことができる。  
なお、ＣＤＭ復調部４から出力される制御データに対してＢＥＲ測定を行うモードを選択した場合には、得られたＢＥＲ測定値を、推定係数を用いて補正したＢＥＲ測定値に変換して算出しても良い。そして、この算出値をバーグラフ等で表示手段により表示するようにしても良い。
【００５１】
つまり、ＣＤＭ復調部４から出力される制御データに対して得られたＢＥＲ測定値を、さらにＦＥＣ部５ｅを通した場合に得られると推定される推定係数等で補正して、擬似的にＦＥＣ部５ｅを用いた場合に対応するＢＥＲ測定値を表示するようにしても良い。  
この場合には、短時間で、ＦＥＣ部５ｅを通した場合に得られるであろうと推定されるＢＥＲ測定値を得ることができる。  
図６は変形例の受信装置１におけるＢＥＲ測定／制御部１１の周辺部の構成を示す。    本変形例は、図１に示した受信装置１において、さらにＦＥＣ部５ｅにおけるビタビ復号部１８により、ビタビ復号処理された制御データをＢＥＲ測定／制御部１１に入力する構成にしている。  
上述した第１の実施の形態においては、ＢＥＲ測定対象となる制御データとして、ＣＤＭ復調部４の制御チャンネル部４ｅから出力される制御データと、ＦＥＣ部５ｅから出力されるエラー訂正処理された制御データとから選択できる構成であったが、本変形例ではさらにＦＥＣ部５ｅの内部で一部のエラー訂正処理された制御データをＢＥＲ測定対象の制御データとして選択できる構成にしている。
【００５２】
このため、本変形例におけるＥＥＰＲＯＭ１２には、上述した参照用ビットパターンデータの他に、制御データ中における上述したビットパターンデータにおいてビタビ復号部１８により正しくビタビ復号処理された場合のビットパターンの制御データがＢＥＲ測定用ビットパターンデータとして格納されている。  
そして、上述した実施の形態と同様にユーザは、ＢＥＲ測定を行う場合、３つのＢＥＲ測定モードから選択することができる。そして、ユーザが、ＢＥＲ測定対象の制御データとしてＦＥＣ部５ｅのビタビ復号部１８によりビタビ復号処理された制御データを選択した場合には、上述した２つのモードの場合の中間的な特徴を持つＢＥＲ測定結果が得られることになる。  
また、ビタビ復号部１８によるエラー訂正されたビットパターンに対してＢＥＲ測定値を得た場合、受信装置ＣＰＵ９は、例えば２×１０−４程度（この値に限定されるものでない）に設定した閾値と比較し、この閾値よりも大きなビット誤り率であると判定した場合には、ディスプレイをブルーバック表示等にする制御を行うこともできる。
【００５３】
従って、本変形例によれば、第１の実施の形態よりもさらにＢＥＲ測定を行うモードの選択肢が増え、ユーザに対する利便性をより向上できる。  
なお、上述の説明においては、エラー訂正処理が施されていない制御データと、エラー訂正処理が施された制御データをＢＥＲ測定対象データとして選択できる構成例で示しているが、本発明はこれに限定されるものでない。  
例えばＦＥＣ部５ｅから出力される制御データのみに対して、その一部におけるＢＥＲ測定対象データのビット長等を変更可能にした場合も含むものである。また、送信装置２１側からＢＥＲデータを変更した場合に、その変更に対応してＢＥＲ測定を行う場合も含むものである。  
なお、上述した実施の形態或いは変形例においては、ＣＤＭ方式を採用して、放送チャンネルの放送データ及び制御チャンネルの制御データを送信装置側から受信装置側に送信する場合で説明したが、本発明はこれに限定されるものでなく、例えば直交周波数分割多重変調方式（Orthogonal Frequency Division Multiplexing,ＯＦＤＭと略記)を採用した場合にも適用することができる。
【００５４】
このＯＦＤＭ方式の場合には、送信装置として、図２の送信装置２１におけるＣＤＭ変調部２４の代わりにＯＦＤＭ変調部を採用し、受信装置として、図１の受信装置１におけるＣＤＭ復調部４の代わりにＯＦＤＭ復調部を採用することになる。  
また、上述した実施の形態等において、例えばユーザによるＢＥＲ測定モードの選択肢として、上述した２つ或いは３つのＢＥＲ測定モードを時分割的な周期でサイクリックに変更できるようにしても良い。
【図面の簡単な説明】
【００５５】
【図１】本発明の一実施の形態に係る放送受信装置の構成を示すブロック図。
【図２】放送送信装置の構成を示すブロック図。
【図３】制御チャンネルにおける制御データのデータ構成を示す図。
【図４】制御チャンネルの１フレーム期間が放送チャンネルの２つのＴＳ期間に対応することを示す図。
【図５】ＢＥＲ測定／制御部の構成例を示すブロック図。
【図６】変形例におけるＢＥＲ測定／制御部の周辺部の構成を示すブロック図。
【符号の説明】
【００５６】
１…（放送）受信装置
４…ＣＤＭ復調部
４ａ、４ｂ、４ｃ、４ｄ…放送チャンネル部
４ｅ…制御チャンネル部
４ｎ…復調処理部
５，５ａ、５ｂ、５ｃ、５ｄ、５ｅ…ＦＥＣ部
１１…ＢＥＲ測定／制御部
１２、２８…ＥＥＰＲＯＭ
２１…（放送）送信装置
２４…ＣＤＭ変調部
【図１】
2008053852.tif 000003
【図２】
2008053852.tif 000004
【図３】
2008053852.tif 000005
【図４】
2008053852.tif 000006
【図５】
2008053852.tif 000007
【図６】
2008053852.tif 000008